(57)【要約】【課題】操作性が良好で、平常時は操作キーで隠されている部分の清掃が容易な水栓装置を提供する。【解決手段】水栓装置１は、流路を開閉する２つの開閉弁ユニットと、これらを覆うカバー９とを備え、開閉弁ユニットの上部には、それぞれに内蔵された開閉弁を作動させるための操作部７ａ，８ａが設けられている。カバー９は、水栓装置１の正面に位置する正面カバー９ａと、その左右に位置する側面カバーとで構成されている。また、開閉弁ユニットの操作部７ａ，８ａを押圧して開閉操作を行うため、正面カバー９ａに開設された２つの開口部９ｓ，９ｔにそれぞれ操作キー２，３が起伏可能に軸支されている。操作キー２に設けられたストッパを弾性係止片から離脱させ、操作キー３のアームに設けられたストッパをアーム挿通口から離脱させると、操作キー２，３を大きく開くことができる。【選択図】  図１２
2006016811.tif 000002
【特許請求の範囲】
【請求項１】
操作キーの押圧操作により吐水状態と止水状態とを交互に切り替える機能を有する水栓装置であって、流路を開閉する開閉弁ユニットと、前記開閉弁ユニットの少なくとも一部を覆うカバーと、前記開閉弁ユニットの開閉操作を行うため前記カバーに開設された開口部に起伏可能に軸支された操作キーと、前記操作キーの起伏角度を所定の範囲内に規制する設定・解除可能な規制手段とを備え、前記規制手段を解除すると前記操作キーが前記所定の範囲を超えて起立可能であることを特徴とする水栓装置。
【請求項２】
前記開閉弁ユニットに対する前記カバーの固定手段を、前記操作キーで覆われる位置に設けた請求項１記載の水栓装置。
【請求項３】
前記操作キーの周囲に位置する前記カバーの露出面に、前記操作キーの露出面より突出した保護突起を設けた請求項１または２記載の水栓装置。
【請求項４】
前記開閉弁ユニットの下方に位置する前記カバーの一部に、開閉可能な開口部を設けた請求項１〜３のいずれかに記載の水栓装置。
【発明の詳細な説明】
【技術分野】
【０００１】
本発明は、浴室などに設置される水栓装置、特に、押圧操作により吐水、止水の切り替えを行うことのできる水栓装置に関する。
【背景技術】
【０００２】
浴室や洗面化粧台などに設置される水栓装置としては、従来、様々な方式のものが開発されてきたが、近年は、押圧操作をすることによって吐水、止水の切り替えを行う機能を備えた水栓装置の採用が増加している（例えば、特許文献１参照。）。特許文献１に記載された水栓装置（吐水装置）は、支軸を中心にシーソー状に揺動するレバーを備え、このレバーを押圧操作すると、ダイヤフラム式の開閉弁の弁体が開位置、閉位置に交互に移動し、これによって吐水状態と止水状態との切り替えを行うものである。
【０００３】
【特許文献１】特開平１０−１６９８０１号公報
【発明の開示】
【発明が解決しようとする課題】
【０００４】
特許文献１に記載された水栓装置（吐水装置）の場合、操作レバーの下側に水が流れ込んで、水垢などの汚れが溜まり易いので、清掃をしないまま長期間経過すると、不衛生な状態になったり、動作トラブルが生じたりするおそれがある。また、これらの汚れを除去するには、操作レバー周辺の操作パネル全体を取り外す必要があるが、これらの作業は一般人にとって面倒で困難な作業であり、操作パネルの着脱に伴う取付けミスなどが生じる可能性もある。
【０００５】
本発明が解決しようとする課題は、操作性が良好で、平常時は操作キーで隠されている部分の清掃が容易な水栓装置を提供することにある。
【課題を解決するための手段】
【０００６】
請求項１記載の発明は、操作キーの押圧操作により吐水状態と止水状態とを交互に切り替える機能を有する水栓装置であって、流路を開閉する開閉弁ユニットと、前記開閉弁ユニットの少なくとも一部を覆うカバーと、前記開閉弁ユニットの開閉操作を行うため前記カバーに開設された開口部に起伏可能に軸支された操作キーと、前記操作キーの起伏角度を所定の範囲内に規制する設定・解除可能な規制手段とを備え、前記規制手段を解除すると前記操作キーが前記所定の範囲を超えて起立可能であることを特徴とする。
【０００７】
このような構成とすれば、通常は、その起伏角度が規制手段により所定の範囲内に規制された状態にある操作キーを押圧操作するだけで操作キーが一定角度範囲内で起伏して、吐水状態と止水状態とが交互に切り替わるため、操作性は良好である。ここで言う「所定の範囲」とは、開閉弁ユニットの開閉操作を実施可能な操作キーの移動範囲であり、操作キーの起立角度を極力小さくするように規制されていることが望ましい。また、規制手段を解除すれば、操作キーは前記所定の範囲を超えて起立させることが可能となるため、これによって、平常時は操作キーで隠されている部分の清掃が容易となる。なお、前記所定の範囲を超えたときの操作キーの起立角度は、例えば、開口部に手指が挿入可能な角度とすることができるが、操作キーの閉止状態から少なくとも７０度程度とすることが望ましい。
【０００８】
請求項２記載の発明は、前記開閉弁ユニットに対する前記カバーの固定手段を、前記操作キーで覆われる位置に設けたことを特徴とする。このような構成とすれば、通常の開閉操作の範囲内においては、開閉弁ユニットに対するカバーの固定手段（例えば、ネジ）が外から見えなくなるため、外観品位が向上する。
【０００９】
請求項３記載の発明は、前記操作キーの周囲に位置する前記カバーの露出面に、前記操作キーの露出面より突出した保護突起を設けたことを特徴とする。このような構成とすれば、誤ってシャワーヘッドが落下したり、地震などの際にシャンプーボトルなどの物品が落下したりすることがあっても、保護突起により、物品が操作キーに当接するのを回避することができるため、誤動作による吐水を防止することができる。
【００１０】
請求項４記載の発明は、前記開閉弁ユニットの下方に位置する前記カバーの一部に、開閉可能な開口部を設けたことを特徴とする。このような構成とすれば、カバーの内部の止水栓などを目視確認したり、手や道具をカバー内に差し込んだりすることが可能となるため、開閉弁ユニットに対する清掃作業性やメンテナンス性が向上する。
【発明の効果】
【００１１】
操作キーの押圧操作により吐水状態と止水状態とを交互に切り替える機能を有する水栓装置において、流路を開閉する開閉弁ユニットと、前記開閉弁ユニットを覆うカバーと、前記開閉弁ユニットの開閉操作を行うため前記カバーに開設された開口部に起伏可能に軸支された操作キーと、前記操作キーの起伏角度を所定の範囲内に規制する設定・解除可能な規制手段とを備え、前記規制手段を解除すると前記操作キーが前記所定の範囲を超えて起立可能であることにより、操作性は良好であり、平常時は操作キーで隠されている部分の清掃も容易である。
【発明を実施するための最良の形態】
【００１２】
以下、図面に基づいて本発明の実施の形態である水栓装置について説明する。図１は本発明の実施の形態である水栓装置を浴室に設置した状態を示す斜視図、図２は図１に示す水栓装置の斜視図、図３は図２に示す水栓装置の分解斜視図、図４は図２に示す水栓装置の一部切欠側面図、図５は図４におけるＡ−Ａ線断面図、図６は図４におけるＢ−Ｂ線断面図である。
【００１３】
本実施形態においては、一例として、図１に示すように、水栓装置１を浴室の壁面Ｗに設置している。水栓装置１の正面部分には２つの操作キー２，３が上下二段に配置され、これらの操作キー２，３の上方側面には温度調整用ダイヤル４が配置されている。操作キー２を押圧操作するとカラン５からの吐水、止水が交互に繰り返され、操作キー３を押圧操作するとシャワー６からの吐水、止水が交互に繰り返される。そして、温度調整用ダイヤル４を回転操作することにより、カラン５およびシャワー６から吐水される湯水の温度を設定することができる。なお、本実施形態においては、吐水、止水と表現しているが、これらの用語は吐出、停止する対象を水に限定するものではなく、水から湯までを含む広い意味をもっている。
【００１４】
図２，図３に示すように、水栓装置１は、流路を開閉する２つの開閉弁ユニット７，８と、これらの開閉弁ユニット７，８を覆うカバー９とを備えている。開閉弁ユニット７，８はパイロット式開閉弁装置と呼ばれるものであり、それぞれの上部には、開閉ユニット７，８に内蔵された開閉弁（図示せず）を作動させるための操作部７ａ，８ａが設けられている。図３に示すように、カバー９は、水栓装置１の正面部分に位置する正面カバー９ａと、その左右部分に位置する側面カバー９ｂ，９ｃとで構成されている。
【００１５】
また、開閉弁ユニット７，８の操作部７ａ，８ａを押圧して開閉操作を行うために、正面カバー９ａに開設された２つの開口部９ｓ，９ｔにそれぞれ操作キー２，３が起伏可能に軸支されている。なお、本実施形態においては開閉弁ユニット７，８としてパイロット式開閉弁装置を用いているが、これに限定するものではないので、同様の機能を備えた他の方式の開閉弁ユニットを使用することも可能である。
【００１６】
図４〜図６に示すように、これらの操作キー２，３はそれぞれ支軸２ａ，３ａによって起伏可能に軸支されている。操作キー２はその左右両端付近に突設された支軸２ａと同軸上に配置されたスプリング２ｓによって倒伏方向に付勢されており、操作キー２の起伏角度を所定の範囲内（本実施形態では操作キー２の開閉操作の範囲内）に規制するための設定・解除可能な係止手段として、操作キー２の下面には、支軸２ａと略同軸上に位置するストッパ２ｂが下方に向かって突設され、このストッパ２ｂが係脱可能な弾性係止片１０が開口部９ｓ内に設けられている。
【００１７】
また、操作キー３は、その左右幅と同程度の長さの支軸３ａに軸支されているが、操作キー３の下面の左右両端付近に設けられたアーム３ｍを介して支軸３ａに軸支され、支軸３ａと同軸に配置されたスプリング３ｓによって倒伏方向に付勢されている。これらのアーム３ｍはそれぞれ、正面カバー９ａの内壁部分に開設された２つのアーム挿通口９ｍを通して支軸３ａに軸支されている。そして、操作キー３の起伏角度を一定の開閉操作の範囲内に規制するための設定・解除可能な係止手段として、一方のアーム３ｍの側面カバー９ｃ側の面に、アーム挿通口９ｍの周縁部に係脱可能なストッパ３ｂが突設されている。
【００１８】
平常時、操作キー２，３の起伏角度は、それぞれストッパ２ｂ，３ｂによって開閉操作の範囲内に規制された状態にあるため、操作キー２，３を押圧操作すると、操作キー２，３が前記開閉操作の範囲内で倒伏、起立し、それぞれの下面に設けられた突片２ｃ，３ｃが操作部７ａ，８ａを押圧することによって開閉弁ユニット７，８を作動させる。このように、操作キー２，３を押圧操作するだけで、カラン５、シャワー６はそれぞれ吐水状態と止水状態とに交互に切り替わるため、操作性は良好である。
【００１９】
また、図２，図４に示すように、水栓装置１においては、操作キー２，３の露出面と、操作キー２，３の周囲に位置する正面カバー９ａの露出面とが略同一面をなすように形成している。このため、カバー９ａと操作キー２，３とは一体感が高く、凹凸感も軽減されるため、外観品位が優れている。
【００２０】
次に、図７〜図１０を参照して、前述した開閉弁ユニット７，８について説明する。なお、開閉弁ユニット７，８は同一構造であるため、ここでは、開閉弁ユニット７について説明する。図７は図１に示す水栓装置を構成する開閉弁ユニットの基本構造を示す概略図、図８は止水状態（閉状態）にある開閉弁ユニットを示す断面図、図９は吐水状態（開状態）にある開閉弁ユニットを示す断面図、図１０は開閉弁ユニットを構成するパイロット弁切替保持機構（ハートカム機構）を示す図である。
【００２１】
図７に示すように、開閉弁ユニット７は、使用者がカラン５用の操作キー２を押すことにより下方に押下される操作部７ａと、操作部７ａにその基端が結合された押し棒３８と、この押し棒３８の先端に設けられたパイロット弁４０とを備え、押し棒３８の先端（下端）とパイロット弁４０との間には緩衝手段であるコイルばね４２が設けられている。
【００２２】
開閉弁ユニット７は、パイロット弁４０の下方に、パイロット弁口（圧力開放穴）４４を備え、パイロット弁４０がこのパイロット弁口４４に当接および解離するダイヤフラム式の主弁４６と、この主弁４６の背面に形成され、押し棒３８、パイロット弁４０およびコイルばね４２を収納する圧力室４８を形成するためのハウジング５０と、主弁４６の表面が着座および離座する弁座５２とを備えている。ハウジング５０の押し棒３８が挿通される部分には、シール部材５４が設けられている。さらに、主弁４６の外周側には、小穴（一次圧流入口）５６が形成されている。
【００２３】
次に、開閉弁ユニット７の基本動作について説明する。開閉弁ユニット７においては、圧力室４８内に設けられたパイロット弁４０を、主弁４６のパイロット弁口４４に当接および解離させることで、パイロット弁４０を開閉し、止水状態と吐水状態とを切り替えるようになっている。
【００２４】
吐水状態から止水状態に切り替えるときは、押し棒３８によりパイロット弁４０をパイロット弁口４４に当接する方向に押さなければならない。このとき、押し棒３８は、その断面積に相当する面積に作用する水圧により上向きの力を受け、さらに、シール部材５４による摺動摩擦抵抗があり、これらに抗して操作部７ａを押す必要があるが、この操作力は比較的小さな値である。
【００２５】
次に、パイロット弁４０が主弁４６のパイロット弁口４４に当接すると、一次側通水路の一次圧の水が小穴５６を通って圧力室４８内に流入し、これに伴い、主弁４６が遅い速度で、弁座５２に向かって移動する。これにより、主弁４６が弁座５２に着座し、止水状態に切り替わる（図８参照）。
【００２６】
さらに、開閉弁ユニット７では、緩衝手段であるコイルばね４２を、押し棒３８とパイロット弁４０との間、即ち、圧力室４８内に設けたので、このコイルばね４２には、パイロット弁４０がパイロット弁口４４に当接するまでは力は作用せず、さらに、詳細は後述するように、パイロット弁４０がパイロット弁口４４に当接した以降も小さな力を作用させればよい。
【００２７】
一方、止水状態から吐水状態に切り替えるときは、操作部７ａを押せば、後述するパイロット弁切替保持機構６２および付勢用ばね６９により、パイロット弁４０が主弁４６のパイロット弁口（圧力開放穴）４４から解離し、それにより、圧力室４８が開放され、主弁４６が弁座５２から解座し、吐水状態となる（図９参照）。
【００２８】
なお、開閉弁ユニット７では、前述したように、主弁４６の移動速度を意図的に小さくしているが、これは主弁４６の閉止時のウォーターハンマーの発生を抑えるためである。即ち、主弁４６に設けられた小穴５６から圧力室４８に一次側の水が流入することで圧力室４８内が一次圧の水で満たされ、主弁４６が弁座５２の方向へ移動するが、小穴５６を、通常、非常に小さな径としているので、圧力室４８への水の流入速度が抑えられ、これにより、主弁４６の移動速度（閉止速度）を抑え、主弁閉止時のウォーターハンマーの発生を抑えるようにしている。
【００２９】
次に、図８，図９を参照し、開閉弁ユニット７について詳しく説明する。前述したように、図８は止水状態（閉状態）にある開閉弁ユニットを示す断面図であり、図９は吐水状態（開状態）にある開閉弁ユニットを示す断面図である。
【００３０】
図８に示す開閉弁ユニット７は、既述したように、操作部７ａ、押し棒３８、パイロット弁４０、緩衝手段であるコイルばね４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６を備えている。
【００３１】
前述した小穴（一次圧流入口）５６には、クリーニング用のピン５８が挿入されており、小穴５６の一次圧流入口の通水面積を絞っている。これにより、前述したように、一次圧の圧力室４８への流入速度を抑制することで主弁４６の閉止速度を緩やかにし、閉止時に発生するウォーターハンマーを低減できるようにしている。
【００３２】
圧力室４８を形成するハウジング５０は、主にパイロット弁４０が配置された空間を取り囲む第１ハウジング５０ａと、主弁４６の背面側の空間を取り囲む第２ハウジング５０ｂとから構成されている。また、最外周側には、操作部７ａ、第１ハウジング５０ａ、第２ハウジング５０ｂ、弁座５２の４つの部品を組み付けることにより、開閉弁ユニット７を組み立てるための組付ナット６０が配置されている。
【００３３】
さらに、開閉弁ユニット７は、パイロット弁切替保持機構６２を備えている。このパイロット弁切替保持機構６２は、前述した、操作キー２に連動しており、操作キー２を押すたびに、即ち、操作キー２で操作部７ａが押されるたびに、パイロット弁４０の吐水状態位置と止水状態位置の切り替えを繰り返すとともに、パイロット弁４０を吐水状態位置または止水状態位置に保持する機能を有する。
【００３４】
このパイロット弁切替保持機構６２は、一般にノック式ボールペンのノック機構などで使用されている機構でもよいが、本実施形態では、図８，図９に示すように、操作部７ａと連動して移動するピン６４と、第１ハウジング５０ａの外周面に形成されピン６４の下方側が弾性変形しながら、これに沿って移動する逆ハート形状のカム溝６６と、止水状態（閉状態）でピン６４を保持する保持用突起６８とによって形成されたハートカム機構を採用している。
【００３５】
ここで、図１０により、パイロット弁切替保持機構（ハートカム機構）６２について詳しく説明する。図１０は、開閉弁ユニット７に採用されているパイロット弁切替保持機構（ハートカム機構）を示す拡大図である。
【００３６】
図１０に示すように、使用者が操作キー２を押圧操作するたびに、ピン６４の下端部６４ａは、ａ位置（止水状態）、ｂ位置（押込み状態）、ｃ位置（吐水位置）、ｄ位置（押込み状態）の順序に従って移動する。ａ位置（止水状態）においては、ピン６４の下端部６４ａが保持用突起６８により保持されており、これによって止水状態が保たれている。次に、止水状態から吐水状態に吐水操作すると、ピン６４の下端部６４ａは、カム溝６６の形状に沿って移動し、ｂ位置（押込み状態）まで下がり、その後、ｃ位置（吐水状態）まで移動し、この位置で吐水状態が保たれる。次に、吐水状態から止水状態に止水操作すると、ピン６４の下端部６４ａはｃ位置（吐水状態）からカム溝６６の形状に沿って移動し、ｄ位置（押込み状態）まで下がり、その後、ａ位置（吐水状態）まで移動し、この位置で、止水状態が保たれる。
【００３７】
このように、パイロット弁切替保持機構６２がハートカム機構であるため、圧力室４８をシールするシール部材５４に、押し棒３８の往復運動（上下運動）のみが作用し、前述したノック機構のように、押し棒３８の回転運度が作用しないため、シール部材５４への負担が少なくなり、高い信頼性を得ることができる。
【００３８】
また、図８，図９に示すように、付勢用ばね６９により止水状態から吐水状態に切替操作する際、即ち、操作キー２が押圧された際、パイロット弁切替保持機構６２による止水状態位置における保持が解除され、操作部７ａが上方へ付勢され、パイロット弁４０がパイロット弁口（圧力開放穴）４４から解離し、容易に吐水状態に切り替えることができるようになっている。
【００３９】
次に、押し棒３８とパイロット弁４０の結合部について説明する。図８，図９に示すように、押し棒３８の先端（下端）であって圧力室４８の内部には、前述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２が内蔵されている。
【００４０】
パイロット弁４０の上側には、押し棒３８が摺動可能に挿入される挿入穴４０ｃが形成されている。パイロット弁４０は、弾性変形可能な樹脂材料で形成されており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に付勢している。
【００４１】
これにより、止水状態から吐水状態に切り替える吐水操作時には、コイルばね４２の付勢力により押し棒３８の先端の大径部３８ａとパイロット弁４０の上側とが係合し、それによって、パイロット弁４０は押し棒３８の動きと連動し、主弁４６に形成されたパイロット弁口４４から離座する（図９参照）。
【００４２】
一方、吐水状態から止水状態に切り替える止水操作時には、パイロット弁４０が主弁４６に形成されたパイロット弁口４４に当接し、押し棒３８の大径部３８ａはパイロット弁４０の上側から離れて下降するが、押し棒３８のストローク方向の移動距離（変位量）はコイルばね４２によって吸収される（図８参照）。
【００４３】
このように、止水操作時においてパイロット弁４０がパイロット弁口４４に当接するまでの過程と、パイロット弁４０がパイロット弁口４４に当接した以降の過程との両方において、操作力に格差（ムラ）がなくなり、好ましい操作感が得られる。
【００４４】
ここで、図１１〜図１３を参照して、操作キー２，３の開放機構について説明する。図１１は水栓装置１を示す側面図、図１２は水栓装置１の斜視図、図１３は図１２に示す水栓装置の一部切欠側面図である。前述した図４〜図６および図１３に示すように、操作キー２に設けられているストッパ２ｂを弾性係止片１０から離脱させ、操作キー３のアーム３ｍに設けられているストッパ３ｂをアーム挿通口９ｍから離脱させると、それぞれ係止手段が解除された状態となり、図１２に示すように、それぞれの開閉操作の範囲を超えて操作キー２，３を起立させ、開口部９ｓ，９ｔを大きく開くことができる。
【００４５】
即ち、係止手段を解除すれば、操作キー２，３は、開閉操作時における一定の操作角度範囲を超えて大きく起立させることができ、これによって開口部９ｓ，９ｔに手指を挿入できるようになるため、平常時は操作キー２，３で隠されている部分を容易に清掃することができる。この場合、操作キー３はアーム３ｍを介して支軸３ａに軸支されているため、操作キー２よりも大きく開くことができる。平常時は操作キー２，３で隠されている部分には、隙間から流入した湯水によって湯垢が発生していることが多いが、操作キー２，３を開閉操作の範囲より大きく起立させることによって、このような部分の清掃を容易に行うことができるため、衛生的である。
【００４６】
操作キー２，３を、一定の開閉操作の範囲を超えて大きく起立させたときの起立角度については特に限定するものではないが、本実施形態においては、操作キー２，３の起立角度をそれぞれの閉止状態から少なくとも７０度となるように設定したところ、開口部９ｓ，９ｔに対して手指をスムーズに挿入することが可能であり、容易に清掃を行うことができた。
【００４７】
また、図１２，図１３に示すような状態に操作キー２，３を起立させたときに外から見える位置に、開閉弁ユニット７，８に対するカバー９（正面カバー９ａ）の固定手段であるネジ１３を配置している。ネジ１３はカバー９（正面カバー９ａ）を金属プレート１５に固定している。また、これらのネジ１３は、操作キー２，３が開閉操作の範囲内にあるときは、それぞれ操作キー２，３で覆われる位置に設けられている。このような構成とすれば、通常の使用状態においては、開閉弁ユニット７，８に対するカバー９の固定手段であるネジ１３が外から見えることがなく、優れた外観品位を呈する。
【００４８】
また、図１１に示すように、操作キー２，３の周囲に位置する正面カバー９ａの露出面に、操作キー２，３の露出面より突出した複数の保護突起１２を設けている。したがって、誤ってシャワー６のヘッド（図１参照）が落下したり、地震などの際にシャンプーボトルなどの物品が落下したりすることがあっても、これらの保護突起１２により、物品が操作キー２，３に当接するのを回避することができるため、誤動作による吐水を防止することができる。
【００４９】
また、図１４に示すように、水栓装置１においては、開閉弁ユニット７，８（図１３参照）の下方に位置する正面カバー９ａの一部に、開閉蓋９ｄによって開閉可能な開口部１４を設けている。開閉蓋９ｄの下縁部分には複数の係止用爪９ｅが設けられており、正面カバー９ａの開口部１４に対して開閉蓋９ｄを水平に装入すると、係止用爪９ｅが撓んで正面カバー９ｅの突起（図示せず）に係合して取り付けられ、逆に、開閉蓋９ｄを水平に引っ張れば係止用爪９ｅが撓んで正面カバー９ａの突起（図示せず）から離脱して開閉蓋９ｄを取り外すことができる。
【００５０】
このように、開閉蓋９ｄは開口部１４に着脱可能であるため、必要に応じて、正面カバー９ａから開閉蓋９ｄを取り外せば、カバー９の内部の止水栓などを目視確認したり、手や道具をカバー９内に差し込んだりすることが可能であり、開閉弁ユニット７，８に対する清掃作業性やメンテナンス性が良好である。
【図面の簡単な説明】
【００５１】
【図１】本発明の実施の形態である水栓装置を浴室に設置した状態を示す斜視図である。
【図２】図１に示す水栓装置の斜視図である。
【図３】図２に示す水栓装置の分解斜視図である。
【図４】図２に示す水栓装置の一部切欠側面図である。
【図５】図４におけるＡ−Ａ線断面図である。
【図６】図４におけるＢ−Ｂ線断面図である。
【図７】図１に示す水栓装置を構成する開閉弁ユニットの基本構造を示す概略図である。
【図８】止水状態（閉状態）にある開閉弁ユニットを示す断面図である。
【図９】吐水状態（開状態）にある開閉弁ユニットを示す断面図である。
【図１０】開閉弁ユニットを構成するパイロット弁切替保持機構（ハートカム機構）を示す図である。
【図１１】図２に示す水栓装置の側面図である。
【図１２】図２に示す水栓装置の斜視図である。
【図１３】図１２に示す水栓装置の一部切欠側面図である。
【図１４】図２に示す水栓装置の斜視図である。
【符号の説明】
【００５２】
１  水栓装置
２，３  操作キー
２ａ，３ａ  支軸
２ｂ，３ｂ  ストッパ
２ｃ，３ｃ  突片
２ｓ，３ｓ  スプリング
３ｍ  アーム
４  温度調整用ダイヤル
５  カラン
６  シャワー
７，８  開閉弁ユニット
７ａ，８ａ  操作部
９  カバー
９ａ  正面カバー
９ｂ，９ｃ  側面カバー
９ｄ  開閉蓋
９ｅ  係止用爪
９ｍ  アーム挿通口
９ｓ，９ｔ，１４  開口部
１０  弾性係止片
１２  保護突起
１３  ネジ
３８  押し棒
３８ａ  大径部
４０  パイロット弁
４０ａ  パッキン
４０ｂ  中空部
４０ｃ  挿入穴
４２  コイルばね
４４  パイロット弁口（圧力開放穴）
４６  主弁
４８  圧力室
５０  ハウジング
５０ａ  第１ハウジング
５０ｂ  第２ハウジング
５２  弁座
５４  シール部材
５６  小穴（一次圧流入口）
５８，６４  ピン
６０  組付ナット
６２  パイロット弁切替保持機構
６４ａ  下端部
６６  カム溝
６８  保持用突起
６９  付勢用ばね
【図１】
2006016811.tif 000003
【図２】
2006016811.tif 000004
【図３】
2006016811.tif 000005
【図４】
2006016811.tif 000006
【図５】
2006016811.tif 000007
【図６】
2006016811.tif 000008
【図７】
2006016811.tif 000009
【図８】
2006016811.tif 000010
【図９】
2006016811.tif 000011
【図１０】
2006016811.tif 000012
【図１１】
2006016811.tif 000013
【図１２】
2006016811.tif 000014
【図１３】
2006016811.tif 000015
【図１４】
2006016811.tif 000016